(57)【要約】少なくとも１つのデータバス（１０）、特に少なくとも１つのコントローラ・エリア・ネットワーク（ＣＡＮ）バスに関連付けられ且つ少なくとも１つのアプリケーションを実行しようとする少なくとも１つのユーザ（４０）をアドレス指定および／またはアクティブにするための方法およびチップユニット（３０）を更に発展させて、それにより、ネットワーク上の個々のユーザ（４０）すなわちデータバス（１０）上の個々のユーザ（４０）を選択的に且つ対象を絞った形態でウェイクアップさせることができ、その結果、ネットワーク全体をウェイクアップさせることなく、必要に応じて必要な時に個々のサブネットワークを形成することができるように、少なくとも１つの入力メッセージがデータバス（１０）上で生じた際に、ユーザ（４０）に関連付けられた少なくとも１つのプロトコルコントローラユニット（４２）に対して最初に電圧を供給することを提案する。
2005529393.tif 000002
【特許請求の範囲】
【請求項１】
少なくとも１つのシリアルデータバス、特にコントローラ・エリア・ネットワーク（ＣＡＮ）バスに関連付けられ且つ少なくとも１つのアプリケーションを実行しようとする少なくとも１つのユーザをアドレス指定および／またはアクティブにする方法であって、少なくとも１つの入力メッセージが前記データバス上で生じると、前記ユーザに関連付けられた少なくとも１つのプロトコルコントローラユニットに対して最初に電圧が供給される、方法。
【請求項２】
−  前記入力メッセージによって前記プロトコルコントローラユニットがアドレス指定され、
−  前記入力メッセージが、前記アプリケーションに関連付けられ且つ前記プロトコルコントローラユニットに記憶された少なくとも１つの基準メッセージと比較され、
−  前記入力メッセージと前記基準メッセージとの間に対応および／または一致が存在する場合には、少なくとも１つの応答が、前記ユーザの上流側に接続された少なくとも１つのトランシーバユニットに送信され、
−  アプリケーション、特に前記ユーザに関連付けられた少なくとも１つのアプリケーションコントローラユニットが前記トランシーバによって作動される、請求項１に記載の方法。
【請求項３】
アプリケーション、特に前記アプリケーションコントローラユニットには、前記入力メッセージと前記基準メッセージとが対応しおよび／または一致している場合にのみ、電圧が供給される、請求項１または２に記載の方法。
【請求項４】
請求項１から３のいずれか一項に記載の方法を実行するためのトランシーバユニットにおいて、
−  前記データバスに接続され、
−  前記プロトコルコントローラユニットと通信を行ない、
−  前記アプリケーションコントローラユニットと通信を行なう、
トランシーバユニット。
【請求項５】
前記トランシーバユニットに関連付けられおよび／または前記トランシーバユニット内で実行される少なくとも１組の制御論理を有している、請求項４に記載のトランシーバユニット。
【請求項６】
少なくとも１つのバッテリユニットに接続されるとともに、少なくとも１つのトランシーバユニット、特に請求項４または５に記載のトランシーバユニットと通信を行なう第１の電圧調整器であって、少なくとも１つのシリアルデータバス上で、特に少なくとも１つのコントローラ・エリア・ネットワーク（ＣＡＮ）バス上で少なくとも１つの入力メッセージが生じる際に、少なくとも１つのアプリケーションを実行するために設けられた少なくとも１つのユーザに関連付けられた少なくとも１つのプロトコルコントローラユニットに対して電圧を供給する、第１の電圧調整器。
【請求項７】
少なくとも１つのバッテリユニットに接続されるとともに、少なくとも１つのトランシーバユニット、特に請求項４または５に記載のトランシーバユニットと通信を行なう第２の電圧調整器であって、少なくとも１つのシリアルデータバス上で、特に少なくとも１つのコントローラ・エリア・ネットワーク（ＣＡＮ）バス上で生じる少なくとも１つの入力メッセージと、少なくとも１つのプロトコルコントローラユニット内に記憶され且つ少なくとも１つのアプリケーションに関連付けられた少なくとも１つの基準メッセージとの間で対応および／または一致が存在する場合に、前記アプリケーションを実行するために設けられた少なくとも１つのユーザに関連付けられた少なくとも１つのアプリケーションコントローラユニットに対して電圧を供給するようになっている、第２の電圧調整器。
【請求項８】
少なくとも１つのデータバス、特に少なくとも１つのコントローラ・エリア・ネットワーク（ＣＡＮ）バスに関連付けられ且つ少なくとも１つのアプリケーションを実行しようとする少なくとも１つのユーザをアドレス指定および／またはアクティブにするためのチップユニット、特にシステムチップユニットであって、
−  請求項４または５に記載された少なくとも１つのトランシーバユニットと、
−  請求項６に記載された少なくとも１つの第１の電圧調整器と、
−  請求項７に記載された少なくとも１つの第２の電圧調整器と、
を備えている、チップユニット。
【請求項９】
少なくとも１つのシリアルデータバス上で、特に少なくとも１つのコントローラ・エリア・ネットワーク（ＣＡＮ）バス上で生じる少なくとも１つの入力メッセージと、少なくとも１つのユーザによって実行される少なくとも１つのアプリケーションに関連付けられた少なくとも１つの記憶された基準メッセージとを、特に少なくとも１つのメッセージコンパレータおよび／またはメッセージフィルタによって比較するためのプロトコルコントローラユニットにおいて、１または複数の入力メッセージが生じた際に、最初に電圧が供給される、プロトコルコントローラユニット。
【請求項１０】
プロトコルコントローラユニットがそれ自体のタイミング、特に水晶タイミングをとることができる少なくとも１つのタイミング発生器、特に水晶ユニットを備えている、請求項９に記載のプロトコルコントローラユニット。
【請求項１１】
少なくとも１つのシリアルデータバス上で、特に少なくとも１つのコントローラ・エリア・ネットワーク（ＣＡＮ）バス上で生じる少なくとも１つの入力メッセージと、少なくとも１つのユーザによって実行される少なくとも１つのアプリケーションに関連付けられた少なくとも１つの記憶された基準メッセージとの間で対応および／または一致が存在する場合にのみ電圧が供給される、アプリケーションコントローラユニット。
【請求項１２】
少なくとも１つのトランシーバユニット、特に請求項４または５に記載のトランシーバユニットによって作動可能である、請求項１１に記載のアプリケーションコントローラユニット。
【請求項１３】
少なくとも１つのアプリケーションを実行するために設けられ、少なくとも１つのシリアルデータバス、特に少なくとも１つのコントローラ・エリア・ネットワーク（ＣＡＮ）バスに関連付けられたユーザであって、
−  請求項９または１０に記載された少なくとも１つのプロトコルコントローラユニットと、
−  請求項１１または１２に記載された少なくとも１つのアプリケーションコントローラユニットと、
を備えている、ユーザ。
【請求項１４】
−  請求項８に記載された少なくとも１つのチップユニットと、
−  請求項１３に記載された少なくとも１つのユーザと、
を備え、
前記チップユニットと前記ユーザとが互いに通信する、システム。
【請求項１５】
少なくとも１つのデータバス、特に少なくとも１つのコントローラ・エリア・ネットワーク（ＣＡＮ）バスに関連付けられ且つ車両エレクトロニクス、特に自動車のエレクトロニクスにおける少なくとも１つのアプリケーションを実行しようとする請求項１３に記載の少なくとも１つのユーザをアドレス指定および／またはアクティブにするための、請求項１から３のいずれか一項に記載の方法および／または請求項８に記載の少なくとも１つのチップユニットの使用。
【発明の詳細な説明】
【技術分野】
【０００１】
本発明は、少なくとも１つのシリアルデータバス、特にコントローラ・エリア・ネットワーク（ＣＡＮ）バスに関連付けられ且つ少なくとも１つのアプリケーションを実行しようとする少なくとも１つのユーザをアドレス指定および／またはアクティブにする方法に関する。
【０００２】
また、本発明は、少なくとも１つのデータバス、特に少なくとも１つのコントローラ・エリア・ネットワーク（ＣＡＮ）バスに関連付けられ且つ少なくとも１つのアプリケーションを実行しようとする少なくとも１つのユーザをアドレス指定および／またはアクティブにするためのチップユニット、特にシステムチップユニットに関する。
【背景技術】
【０００３】
特に自動車のシリアルネットワーキングにおいては、複雑さが増大するにつれて、シリアルネットワーキングで使用される電子部品により必要とされるエネルギが益々増大されるようになる。また、これに加えて、自動車が駐車して自動車のバッテリによって直接に作動しなければならない場合であっても、快適さおよび利便性を与えようとする機能は益々活発に働く。
【０００４】
例えばコントローラ・エリア・ネットワーク（ＣＡＮ）バスを介して多数の機能がシリアルにネットワーク化されているため、バス上の各ユーザがこれらの僅かなユーザによるデータの送信によって「目覚めさせられ（ウェイクアップされ）」あるいは「起きたままの状態にさせられている」ことにより、僅かな数の機能だけが働いている場合であっても、バスシステム全体が起動する。これにより、システムによる電流消費量は、望ましくないほど高くなる。また、僅かな自動車機能が働いているとしても、そのうちの１つは全く不必要でさえある。
【０００５】
従来技術においては、全てのユーザがグローバルウェイクアップ（ｇｒｏｂａｌ  ｗａｋｅ−ｕｐ）によって最初に目覚めさせられる（ウェイクアップされる）周知の方法がある。この後、所望の数のユーザを元のスリーピング状態に戻し、その状態から、これらのユーザのみを、別個に規定されたウェイキングシンボルまたは特定のレベル方式によって再びウェイクアップさせることができる。
【０００６】
しかしながら、この場合に不都合なことは、不要なサブネットワークをＯＦＦに切り換えることにより１つのサブネットワークがセットアップされる前に、最初に、全てのノードをウェイクアップさせなければならないということである。これにより、少なくとも僅かな時間、電流消費量が高くなる。これは、特にサイクリックウェイクアッププロセスを用いる場合において、非常に厄介である。
【０００７】
他の方法においては、メッセージがスリーピングノードに関するものであるか否か、すなわち、メッセージがＯＦＦに切り換えられたノードに関するものであるか否かに関して決定を行なうことができる特定のハードウェアにより、バス上の各データパケットが解析される。当該メッセージと所定のメッセージとの比較が成功する場合にのみ、アプリケーションがウェイクアップされて開始される。しかしながら、この場合の不都合なことの１つは、電力を連続的に受ける第２のバスプロトコルコントローラが、メッセージのための複雑なフィルタを使用してバスを監視するとともに、関連するメッセージを求めてバスを検索する必要があるということである。
【０００８】
図１は、自動車のＣＡＮアプリケーションを対象とするこの種の従来のコントローラ・エリア・ネットワークシステム（ＣＡＮ）を示している。
【０００９】
システムチップＢは、ＣＡＮトランシーバＢ．１およびそれ自体のＣＡＮコントローラ（水晶発振器を含む）Ｂ．２により、シリアルＣＡＮバスＡ上のデータトラフィックを解析する。これに対し、アプリケーションマイクロコントローラ（水晶発振器を含む）Ｃ．２およびアプリケーションハードウェアＤをＯＦＦに切り換えて、システム上の電流を節約することができる。
【００１０】
しかしながら、この場合、第２のアプリケーションＣＡＮコントローラＣ．１が必要とされ、また、この第２のアプリケーションＣＡＮコントローラＣ．１が非常に正確に動作する必要がある（別個の水晶発振器および別個のＣＡＮコントローラが必要とされるため）ため、自動車において一般に生じるある種の故障により、不正確な決定は成されない。メッセージコンパレータＢ．３が所定のウェイクアップメッセージを見出した場合には、アプリケーションＤが起動され、アプリケーションに電流が供給される。しかしながら、この種の複雑な実施は、一般に、非常に高価である。
【発明の開示】
【発明が解決しようとする課題】
【００１１】
本発明は、出発点として前述した不都合および欠点に鑑み、また、前述した従来技術を十分に考慮してなされたものであり、その目的とするところは、第１の段落で詳述した種類の方法および第２の段落で詳述した種類のチップユニットを更に発展させることにより、ネットワーク上の個々のユーザ、すなわち、データバス上の個々のユーザを対象を絞った形態で選択的にウェイクアップさせ、それにより、ネットワーク全体をウェイクアップさせることなく、必要に応じて必要な時に個々のサブネットワークを形成できるようにすることである。
【課題を解決するための手段】
【００１２】
この目的は、請求項１に記載された特徴を有する方法、および、請求項８に記載された特徴を有するチップユニットによって達成される。本発明の有利な実施形態および有用な改良については、従属請求項の各組に記載されている。
【００１３】
すなわち、本発明は、サブネットワークを選択的にウェイクアップさせることによって動作させるという原理に基づいている。この場合、本発明の教示内容の下、アプリケーションコントローラ（以下、アプリケーションコントローラユニットとも称する）中に既に存在するプロトコルコントローラ（以下、プロトコルコントローラユニットとも称する）を使用することにより、また、その時点でシリアルデーダバスシステム上にトラフィックが存在している場合には、システムチップまたは特定の他のハードウェア要素から前記プロトコルコントローラに対して電力を部分的に供給することにより、従来技術においては必須であるプロトコルコントローラハードウェアの重複を避けることができる。この場合、システムチップとアプリケーションコントローラとの間で信号をやりとりするため、既存の接続部を使用する。したがって、外的な動作負担を更に生じさせないで済む。
【００１４】
本発明に係る方法に付随する処理においては、データバス上でメッセージが生じる場合（この場合、用語「メッセージ」は、単なるメッセージだけでなく、データバス上で生じる通信および／またはデータパケットも対象にすることを意図している）、常に、少なくとも１つの上流側トランシーバ（以下、トランシーバユニットとも称する）により、あるいは、システムチップ（以上および以下では、チップユニットまたはシステムチップユニットとも称する）により、プロトコルコントローラに対して電圧が供給される。
【００１５】
この場合、実際に有利な効果としては、システムに従うことにより、アプリケーション内において、例えばコントローラ・エリア・ネットワーク（ＣＡＮ）方式でプロトコルコントローラに対して単独で電力を供給できる点を挙げることができる。プロトコルコントローラ自体は、独立型デバイスを形成していても良く、あるいは、マイクロコントローラ内に組み込まれていても良い。
【００１６】
特に、本発明の実施形態において、単独で給電されるプロトコルコントローラは、既存の要件に適したそれ自体のクロック信号を有効に有していても良いが、生じる入力メッセージと記憶された基準メッセージとを比較することができる。この場合、メッセージを比較するため、プロトコルコントローラ内の少なくとも１つのメッセージフィルタリングユニットを利用できる。
【００１７】
比較結果が肯定的である場合には、プロトコルコントローラだけが、上流側のトランシーバまたは上流側のシステムチップに対して応答を送信する。プロトコルコントローラからこの種の肯定的な応答が適切に成されると、上流側のトランシーバまたは上流側のシステムチップは、アプリケーションおよびそのマイクロコントローラに対して電力を供給する。
【００１８】
また、本発明は、前述したタイプの方法を実行するためのトランシーバユニットに関する。トランシーバユニットは、データバスに接続されているとともに、プロトコルコントローラユニットと通信を行ない、また、アプリケーションコントローラユニットと通信を行なう。
【００１９】
本発明の好ましい更なる改良においては、少なくとも１つの制御論理がトランシーバユニットに関連付けられおよび／または少なくとも１つの制御論理がトランシーバユニット内で実行される。
【００２０】
また、本発明は、少なくとも１つのバッテリユニットに接続されるとともに、少なくとも１つのトランシーバユニット、特に前述したタイプのトランシーバユニットと通信を行なう第１の電圧調整器であって、少なくとも１つのシリアルデータバス上で、特に少なくとも１つのコントローラ・エリア・ネットワーク（ＣＡＮ）バス上で少なくとも１つの入力メッセージが生じる際に、少なくとも１つのアプリケーションを実行するために設けられた少なくとも１つのユーザに関連付けられた少なくとも１つのプロトコルコントローラユニットに対して電圧を供給するようになっている第１の電圧調整器に関する。
【００２１】
また、本発明は、少なくとも１つのバッテリユニットに接続されるとともに、少なくとも１つのトランシーバユニット、特に前述したタイプのトランシーバユニットと通信を行なう第２の電圧調整器であって、少なくとも１つのシリアルデータバス上で、特に少なくとも１つのコントローラ・エリア・ネットワーク（ＣＡＮ）バス上で生じる少なくとも１つの入力メッセージと、少なくとも１つのプロトコルコントローラユニット内に記憶され且つ少なくとも１つのアプリケーションに関連付けられた少なくとも１つの基準メッセージとの間で対応および／または一致が存在する場合に、前記アプリケーションを実行するために設けられた少なくとも１つのユーザに関連付けられた少なくとも１つのアプリケーションコントローラユニットに対して電圧を供給するようになっている第２の電圧調整器に関する。
【００２２】
本発明において、チップユニット、特にシステムチップユニットは、
−  前述したタイプの少なくとも１つのトランシーバユニットと、
−  前述したタイプの少なくとも１つの第１の電圧調整器と、
−  前述したタイプの少なくとも１つの第２の電圧調整器と、
を備えている。
【００２３】
また、本発明は、少なくとも１つのデータバス上で生じる少なくとも１つの入力メッセージと、少なくとも１つのユーザによって実行される少なくとも１つのアプリケーションに関連付けられた少なくとも１つの記憶された基準メッセージとを、特にメッセージコンパレータおよび／または前述したタイプのメッセージフィルタによって比較するためのプロトコルコントローラユニットに関する。１または複数の入力メッセージが生じた際には、プロトコルコントローラユニットに対して最初に電圧が供給されなければならない。
【００２４】
本発明の好ましい更なる改良において、プロトコルコントローラユニットは、プロトコルコントローラユニットがそれ自体のタイミング、特に水晶タイミングを有効にとることができるようにする少なくとも１つのタイミング発生器、特に水晶ユニットを備えている。
【００２５】
また、本発明は、前述したタイプのアプリケーションコントローラユニットに関する。アプリケーションコントローラユニットには、少なくとも１つのデータバス上で生じる少なくとも１つの入力メッセージと、少なくとも１つのユーザによって実行される少なくとも１つのアプリケーションに関連付けられた少なくとも１つの記憶された基準メッセージとの間で対応および／または一致が存在する場合にのみ、電圧が供給されなければならない。
【００２６】
本発明の好ましい更なる改良において、アプリケーションコントローラユニットは、少なくとも１つのトランシーバユニット、特に前述したタイプのトランシーバユニットによって作動されても良い。
【００２７】
また、本発明は、前述したタイプのユーザであって、少なくとも１つのアプリケーションを実行するために設けられ、少なくとも１つのデータバスに関連付けられたユーザにおいて、
−  前述したタイプの少なくとも１つのプロトコルコントローラユニットと、
−  前述したタイプの少なくとも１つのアプリケーションコントローラユニットと、
を備えているユーザに関する。
【００２８】
また、本発明は、前述したタイプのシステムであって、
−  前述したタイプの少なくとも１つのチップユニットと、
−  前述したタイプの少なくとも１つのユーザと、
を備え、
前記チップユニットと前記ユーザとが互いに通信するシステムに関する。
【００２９】
最後に、本発明は、少なくとも１つのデータバスに関連付けられ且つ少なくとも１つのアプリケーションを実行しようとする、車両エレクトロニクス、特に自動車のエレクトロニクスにおける少なくとも１つのユーザをアドレス指定および／またはアクティブにするための、前述した種類の方法および／または前述した種類の少なくとも１つのチップユニットの使用に関する。
【００３０】
既に述べたように、本発明の教示内容を有利に具現化して磨き上げることができる想定される様々な方法が存在する。また、この点に関しては、一方で、請求項１，４，９，１１に従属する請求項を参照することができる。また、他方において、本発明の更なる態様、特徴、利点は、図２に示される例示的な実施形態から明らかであり、以下、これらの実施形態を参照して、本発明の更なる態様、特徴、利点について説明する。
【発明を実施するための最良の形態】
【００３１】
図２にはシステム１００が概略的に示されており、このシステム１００によって、シリアルＣＡＮ（コントローラ・エリア・ネットワーク）データバス１０のノード１２に接続され且つ１つのアプリケーションを実行しようとするユーザ４０をアドレス指定してアクティブにすることができる。この場合、システム１００の動作原理は、以下の通りである。
【００３２】
メッセージトラフィックが生じ且つそれがＣＡＮデータバスライン１０上で検出される場合、データバス１０に接続され且つ制御論理と適合されたトランシーバ３４、または、トランシーバユニット３４を含むシステムチップユニット３０（トランシーバ３４またはシステムチップユニット３０には、バッテリユニット２０から永久的に電力が供給される）は、接続部９２，９４を介してトランシーバユニット３４に接続された第１の電圧調整器３２をＯＮに切り換える。その目的は、アプリケーションユーザ４０に関連付けられ且つ要求に適するそれ自体のクロック信号を有するプロトコルコントローラユニット４２に電流を供給することである。このため、第１の電圧調整器３２は、バッテリユニット２０に接続されている。
【００３３】
トランシーバユニット３４とプロトコルコントローラユニット４２とを互いに接続する受信ライン（＝ＲＸＤライン５２）を介して、ビットストリームがプロトコルコントローラユニット４２に伝えられ、このプロトコルコントローラユニット４２においてビットストリームが解析される。その後、プロトコルコントローラユニット４２において、メッセージコンパレータまたはメッセージフィルタにより、受信されたメッセージまたはデータパケットと、記憶された基準メッセージまたはデータパケットとが比較される。
【００３４】
水晶制御クロック信号（プロトコルコントローラユニット４２の水晶発振器ユニットからのクロック信号）およびプロトコルハードウェアを利用できるため、特定のメッセージまたはデータパケットの検出を高い精度で行なうことができる。しかしながら、この場合、依然として、アプリケーションマイクロコントローラ４４を含むアプリケーションそれ自体に電力が全く供給されないため、電流がかなり節約される。
【００３５】
比較結果が肯定的である場合、プロトコルコントローラユニット４２は、送信ライン（＝ＴＸＤ接続部５４）を介して、トランシーバユニット３４すなわちシステムチップユニット３０に対してフィードバック信号を送信する。その後、給電ライン２６を介して同様にしてバッテリユニット２０に接続され且つ接続部９６を介してトランシーバユニット３４に接続される第２の電圧調整器３６がＯＮに切り換えられ、ユーザ４０に関連付けられたアプリケーションコントローラユニット４４に対して第２の電圧調整器３６から電圧が供給される結果、接続ライン８２を介してアプリケーションが完全に起動される。図２に示されることから分かるように、第２の電圧調整器３６とアプリケーションマイクロコントローラユニット４４との間には、リセットライン８４（「リセット」）も延びている。
【００３６】
一方、メッセージが検出されない場合、すなわち、プロトコルコントローラユニット４２内に記憶されたアプリケーションに関連付けられる任意の基準メッセージに対してＣＡＮバス１０からの入力メッセージが対応していない場合、第２の電圧調整器３６がＯＮに切り換えられない。
【００３７】
システムチップユニット３０またはトランシーバユニット３４において予め設定される所定の時間、バスに休止状態があった場合には直ぐに、第１の電圧調整器３２がＯＦＦに切り換えられる。このようにすると、電流が最大限節約される。この時、システムチップユニット３０またはトランシーバユニット３４は、第１の電圧調整器３２を再び元のＯＮに切り換えることができるように、バッテリユニット２０からのみその電力を引き出すとともに、ＣＡＮデータバス１０からの入力メッセージを待つ。
【００３８】
システム１００は、トランシーバユニット３４（またはシステムチップユニット３０）とアプリケーションコントローラユニット４４との間にあるモード制御インタフェース７０を介して設定および制御が可能である。
【００３９】
図２を参照して説明した実施形態に関連して強調されるべき更なる１つの点は、使用されるシステムチップが集積システムチップ３０であるのか或いはトランシーバ３４および電圧調整器３２，３６等の構成部品が別個のものであるのかどうかが実施する上で問題にならないという点である。また、プロトコルコントローラ４２がマイクロコントローラ内に組み込まれているのか或いは独立型デバイスの形態で設けられているのかどうかも問題ではない。
【００４０】
したがって、要するに、図２に示されるシステムは、シリアルデータバスシステム１０に関連付けられ且つそれぞれが１つのアプリケーションを実行しようとしているユーザ４０をアドレス指定してアクティブにし、それにより、ネットワーク上の個々のユーザ４０すなわちデータバス１０上の個々のユーザ４０を選択的に且つ対象を絞った形態でウェイクアップさせることができ、その結果、ネットワーク全体をウェイクアップさせることなく、必要に応じて必要な時に個々のサブネットワークを形成することができるように形成されていると言える。
【００４１】
このため、プロトコルコントローラユニット４２は、流れているビットストリームのアドレス指定／アクティブ解析のためのアプリケーション内で有利に使用される。プロトコルコントローラユニット４２およびアプリケーションコントローラユニット４４に対して個別に電流を供給する方式により、この場合にはシステム１００の電流消費量を大幅に減少させることができる。
【００４２】
データバス１０への物理的接続部とシリアルプロトコルコントローラユニット４２との間の単純な「ハンドシェイク」機構を使用して、ローカルシステムをウェイクアップさせるべきか否か、すなわち、ローカルシステムをアドレス指定してアクティブにするべきか否かに関して決定することができる。
【図面の簡単な説明】
【００４３】
【図１】チップユニットおよびマイクロコントローラユニットを有するシステムの従来の実施形態のブロック図である。
【図２】本発明の方法に基づくシステムであって、本発明に係るチップユニットおよびマイクロコントローラユニットを有するシステムの一実施形態のブロック図である。
【符号の説明】
【００４４】
１００  システム
１０  データバス、特にコントローラ・エリア・ネットワーク（ＣＡＮ）データバス
１２  データバス１０上のノード
２０  バッテリユニット
２１  バッテリユニット２０と第１の電圧調整器３２との間の接続部
２６  バッテリユニット２０と第２の電圧調整器３６との間の接続部
３０  チップユニット、特にシステムチップユニット
３２  チップユニット３０の第１の電圧調整器
３４  チップユニット３０のトランシーバユニット
３６  チップユニット３０の第２の電圧調整器
４０  ユーザ
４２  プロトコルコントローラユニット
４４  アプリケーションコントローラユニット
５２  トランシーバユニット３４とプロトコルコントローラユニット４２との間の第１の接続部
５４  トランシーバユニット３４とプロトコルコントローラユニット４２との間の第２の接続部
６２  第１の電圧調整器３２とプロトコルコントローラユニット４２との間の接続部
７０  トランシーバユニット３４とアプリケーションコントローラユニット４４との間のインタフェース
８２  第２の電圧調整器３６とアプリケーションコントローラユニット４４との間の接続部
８４  第２の電圧調整器３６とアプリケーションコントローラユニット４４との間のリセットライン
９２  第１の電圧調整器３２とトランシーバユニット３４との間の第１の接続部
９４  第１の電圧調整器３２とトランシーバユニット３４との間の第２の接続部
９６  トランシーバユニット３４と第２の電圧調整器３６との間の接続部
【図１】
2005529393.tif 000003
【図２】
2005529393.tif 000004
【国際調査報告】
2005529393.tif 000005
2005529393.tif 000006
2005529393.tif 000007
2005529393.tif 000008